(57)【要約】  【課題】シースルービュアーを介して観察している観察している印刷物に関連する情報を、迅速かつ簡便に、この印刷物の実視野に重畳して表示できる情報重畳表示装置及び情報重畳表示システムを提供する。  【解決手段】撮像部１０４と、印刷物情報格納部１２０と、印刷物撮像内容特定部１０５と、印刷物情報抽出部１０６と、電子情報表示部１０１と、印刷物情報を印刷物１１０の実視野に重畳して表示する半透過光学素子１０２とを有する。印刷物情報格納部１２０のデータを用いて、撮像部１０４で撮影した印刷物の撮像内容の特定を行うとともに、特定した撮像内容に関連する印刷物情報を抽出し、半透過光学素子１０２を介して印刷物１１０の実視野に重畳して表示する。抽出した対象物に関連する印刷物情報を表示する際に、撮像範囲に応じて、印刷物情報の内容を異ならせる。【選択図】  図１
2006139104.tif 000002
【特許請求の範囲】
【請求項１】
印刷物を撮像する撮像部と、
印刷物の画像と該画像に対応して後発的に付加された印刷物情報とを電子情報データベースとして格納する印刷物情報格納部と、
前記撮像部を介して撮像された印刷物の画像を、前記印刷物情報格納部に格納されている印刷物の画像と照合して、印刷物の撮像内容を特定する印刷物撮像内容特定部と、
前記印刷物撮像内容特定部を介して特定された印刷物の撮像内容に関連する印刷物情報を、前記印刷物情報格納部から抽出する印刷物情報抽出部と、
前記印刷物情報抽出部を介して抽出された印刷物情報を表示する電子情報表示部と、
前記電子情報表示部に表示された印刷物情報を、印刷物の実視野に重畳して表示する半透過光学素子とを有し、
少なくとも前記撮像部と前記電子情報表示部と前記半透過光学素子とを、携帯情報端末に備え、
前記印刷物情報格納部を、前記携帯情報端末に対して通信可能なコンピュータに備え、
前記印刷物撮像内容特定部及び前記印刷物情報抽出部を、前記携帯情報端末と前記コンピュータとのいずれか一方に備え、
前記携帯情報端末の前記半透過光学素子を介して観察される印刷物の実視野に、該印刷物の撮像範囲に対応して異なる印刷物情報を重畳して表示するようにしたことを特徴とする情報重畳表示システム。
【請求項２】
前記印刷物情報が、印刷物の撮像範囲に対応した基本情報と、該基本情報に関連する付加情報とを含んでいることを特徴とする請求項１に記載の情報重畳表示システム。
【請求項３】
前記印刷物情報が、印刷物の撮像範囲に対応した基本情報と、該基本情報に関連する付加情報の格納場所を示す位置情報とを含んでいることを特徴とする請求項１に記載の情報重畳表示システム。
【請求項４】
印刷物に関連する複数の印刷物情報を順次表示させるための、印刷物の撮像範囲に対する所定量の可変量が設定されており、
該可変量の範囲内で撮像範囲を変化させて印刷物を撮像したときに、該印刷物の撮像範囲に対応して異なる印刷物情報を前記半透過光学素子を介して観察される印刷物の実視野に重畳して表示するようにしたことを特徴とする請求項１〜３のいずれかに記載の情報重畳表示システム。
【請求項５】
印刷物を撮像する撮像部と、
印刷物の画像と該画像に対応して後発的に付加された印刷物情報とを電子情報データベースとして格納する印刷物情報格納部を備えたコンピュータとの通信を行い、前記撮像部を介して撮像された印刷物の画像を該印刷物情報格納部に格納されている印刷物の画像と照合して、印刷物の撮像内容を特定する印刷物撮像内容特定部と、
前記印刷物撮像内容特定部を介して特定された印刷物の撮像内容に関連する印刷物情報を、前記印刷物情報格納部から抽出する印刷物情報抽出部と、
前記印刷物情報抽出部を介して抽出された印刷物情報を表示する電子情報表示部と、
前記電子情報表示部に表示された印刷物情報を、印刷物の実視野に重畳して表示する半透過光学素子とを有し、
前記半透過光学素子を介して観察される印刷物の実視野に、該印刷物の撮像範囲に対応して異なる印刷物情報を重畳して表示するようにした携帯情報端末からなることを特徴とする情報重畳表示装置。
【請求項６】
印刷物を撮像する撮像部と、
印刷物の画像と該画像に対応して後発的に付加された印刷物情報とを電子情報データベースとして格納する印刷物情報格納部と、前記撮像部で撮像された印刷物の画像を該印刷物情報格納部に格納されている印刷物の画像と照合して、印刷物の撮像内容を特定する印刷物撮像内容特定部と、該印刷物撮像内容特定部を介して特定された印刷物の撮像内容に関連する印刷物情報を、該印刷物情報格納部から抽出する印刷物情報抽出部とを備えたコンピュータとの通信を行い、該印刷物情報抽出部を介して抽出された印刷物情報を表示する電子情報表示部と、
前記電子情報表示部に表示された印刷物情報を、印刷物の実視野に重畳して表示する半透過光学素子とを有し、
前記半透過光学素子を介して観察される印刷物の実視野に、該印刷物の撮像範囲に対応して異なる印刷物情報を重畳して表示するようにした携帯情報端末からなることを特徴とする情報重畳表示装置。
【請求項７】
前記印刷物情報が、印刷物の撮像範囲に対応した基本情報と、該基本情報に関連する付加情報とを含んでいることを特徴とする請求項５又は６に記載の情報重畳表示システム。
【請求項８】
前記印刷物情報が、印刷物の撮像範囲に対応した基本情報と、該基本情報に関連する付加情報の格納場所を示す位置情報とを含んでいることを特徴とする請求項５又は６に記載の情報重畳表示装置。
【請求項９】
印刷物に関連する複数の印刷物情報を順次表示させるための、印刷物の撮像範囲に対する所定量の可変量が設定されており、
該可変量の範囲内で撮像範囲を変化させて印刷物を撮像したときに、該印刷物の撮像範囲に対応して異なる印刷物情報を前記半透過光学素子を介して観察される印刷物の実視野に重畳して表示するようにしたことを特徴とする請求項５〜８のいずれかに記載の情報重畳表示装置。
【請求項１０】
所定面積を有するエリアに多数のアトラクション施設等を備えたテーマパークにおいて、
前記テーマパーク内に多数設置された、前記アトラクション施設等に関連する情報を印刷した設置印刷物と、
前記テーマパーク内に入場する観客に配布される、前記アトラクション施設等に関連する情報を印刷した配布印刷物と、
前記請求項１〜３のいずれかに記載のコンピュータと、
前記テーマパーク内に入場する観客が使用するための前記請求項１〜３のいずれかに記載の携帯情報端末を有し、
前記それぞれの観客が、前記携帯情報端末を介して前記設置印刷物又は前記配布印刷物を撮像したときに、
該印刷物の撮像範囲に対応した、前記設置印刷物又は前記配布印刷物に印刷された情報に関連する印刷物情報を、携帯情報端末の半透過光学素子を介して観察される印刷物の実視野に重畳して表示するようにしたことを特徴とするテーマパーク用情報重畳表示システム。
【発明の詳細な説明】
【技術分野】
【０００１】
本発明は、情報重畳表示装置及び情報重畳表示システムに関し、特に印刷された媒体やプリントされた媒体に関連する情報を、実視野に重畳して表示する装置及びシステムに関する。
【背景技術】
【０００２】
近年、一人の人間が複数のコンピュータを使用するネットワーク社会、いわゆるユビキタス・ネットワーク社会が提唱されている。ユビキタス・ネットワーク社会では、インターネット等の情報ネットワークに、いつでも、どこからでもアクセスできる環境が実現できる。このようなアクセスに使うことのできる情報端末は、パソコンに限られず、例えば携帯電話等も用いることができる。
【０００３】
また、携帯電話においては、通話とディスプレイ認識とを同時に行なえる表示機能付き携帯情報装置としての構成が提案されている（例えば、特許文献１参照。）。特許文献１に開示されている構成では、小型のディスプレイをホログラム素子により遠方に拡大投影する。これにより、例えば、通話をしながら表示画像情報を見ることができる。さらに、ホログラム素子を介して遠方の物体の透過像を同時に観察できる。このような表示機能付き携帯情報装置は、実視野の像に重畳させてデジタル情報を表示する、いわゆるシースルービュアー（ｓｅｅ−ｔｈｒｏｕｇｈ  ｖｉｅｗｅｒ）として用いることができる。
【特許文献１】特開２００１−３０８９９７号公報
【発明の開示】
【発明が解決しようとする課題】
【０００４】
ところで、紙媒体等に印刷された書籍、地図、または焼付けされた写真等を見ることは、日常良く行なわれている。このような書籍、地図、写真等には、直接、人間が印刷または焼付けされている紙媒体等の物理的実体に触ることができる。このため、人間は、例えば、書籍の頁をめくる触感のような、いわゆるタンジブル（ｔａｎｇｉｂｌｅ）な感覚を認知できる。このようなタンジブルな感覚を伴って情報を得ることは、人間にとって自然なことであり、非常に重要であると考えられている。
【０００５】
一方、紙媒体等に一旦印刷または焼付けされた情報は、その内容を更新することができない。このため、例えば、テーマパークの印刷された案内地図を見ているときに、その地図に記載されている乗り物の現在の混雑状況をリアルタイムに得ることはできない。
【０００６】
また、上述したように表示機能付き携帯情報装置は、シースルービュアーとして用いることができる。しかしながら、従来技術の表示機能付き携帯情報装置では、単に、使用者がホログラム素子を介して実視野の物体を透過観察することができるのみであり、使用者の観察している物体の内容を認識する機能を有していない。
【０００７】
このため、従来技術の表示機能付き携帯情報装置では、使用者がホログラム素子を介して透過観察している物体に関連する例えば最新情報などの後発的に付加された情報を得たいときがあっても、使用者は、そのままホログラム素子を介して物体を透過観察した状態では情報を得ることができない。使用者は、観察している物体に関連する情報を検索画面等を観察しながら、意図的に選択、検索しなければならない。このため、従来技術の表示機能付き携帯情報装置では、迅速、簡便には、観察物体に関連する後発的に付加された情報を得ることができない。
【０００８】
本発明は、上記に鑑みてなされたものであって、シースルービュアーを介して観察している印刷物に関連する付加情報を、迅速かつ簡便に、この印刷物の実視野に重畳して表示できる情報重畳表示装置及び情報重畳表示システムを提供することを目的とする。
【課題を解決するための手段】
【０００９】
上述した課題を解決し、目的を達成するために、本発明による情報重畳表示装置は、印刷物を撮像する撮像部と、印刷物の画像と該画像に対応して後発的に付加された印刷物情報とを電子情報データベースとして格納する印刷物情報格納部と、前記撮像部を介して撮像された印刷物の画像を、前記印刷物情報格納部に格納されている印刷物の画像と照合して、印刷物の撮像内容を特定する印刷物撮像内容特定部と、前記印刷物撮像内容特定部を介して特定された印刷物の撮像内容に関連する印刷物情報を、前記印刷物情報格納部から抽出する印刷物情報抽出部と、前記印刷物情報抽出部を介して抽出された印刷物情報を表示する電子情報表示部と、前記電子情報表示部に表示された印刷物情報を、印刷物の実視野に重畳して表示する半透過光学素子とを有し、少なくとも前記撮像部と前記電子情報表示部と前記半透過光学素子とを、携帯情報端末に備え、前記印刷物情報格納部を、前記携帯情報端末に対して通信可能なコンピュータに備え、前記印刷物撮像内容特定部及び前記印刷物情報抽出部を、前記携帯情報端末と前記コンピュータとのいずれか一方に備え、前記携帯情報端末の前記半透過光学素子を介して観察される印刷物の実視野に、該印刷物の撮像範囲に対応して異なる印刷物情報を重畳して表示するようにしたことを特徴とする。
【００１０】
また、本発明の情報重畳表示システムにおいては、前記印刷物情報が、印刷物の撮像範囲に対応した基本情報と、該基本情報に関連する付加情報とを含んでいるのが好ましい。
【００１１】
また、本発明の情報重畳表示システムにおいては、前記印刷物情報が、印刷物の撮像範囲に対応した基本情報と、該基本情報に関連する付加情報の格納場所を示す位置情報とを含んでいるのが好ましい。
【００１２】
また、本発明の情報重畳表示システムにおいては、印刷物に関連する複数の印刷物情報を順次表示させるための、印刷物の撮像範囲に対する所定量の可変量が設定されており、該可変量の範囲内で撮像範囲を変化させて印刷物を撮像したときに、該印刷物の撮像範囲に対応して異なる印刷物情報を前記半透過光学素子を介して観察される印刷物の実視野に重畳して表示するようにするのが好ましい。
【００１３】
また、本発明による情報重畳表示装置は、印刷物を撮像する撮像部と、印刷物の画像と該画像に対応して後発的に付加された印刷物情報とを電子情報データベースとして格納する印刷物情報格納部を備えたコンピュータとの通信を行い、前記撮像部を介して撮像された印刷物の画像を該印刷物情報格納部に格納されている印刷物の画像と照合して、印刷物の撮像内容を特定する印刷物撮像内容特定部と、前記印刷物撮像内容特定部を介して特定された印刷物の撮像内容に関連する印刷物情報を、前記印刷物情報格納部から抽出する印刷物情報抽出部と、前記印刷物情報抽出部を介して抽出された印刷物情報を表示する電子情報表示部と、前記電子情報表示部に表示された印刷物情報を、印刷物の実視野に重畳して表示する半透過光学素子とを有し、前記半透過光学素子を介して観察される印刷物の実視野に、該印刷物の撮像範囲に対応して異なる印刷物情報を重畳して表示するようにした携帯情報端末からなることを特徴とする。
【００１４】
また、本発明による情報重畳表示装置は、印刷物を撮像する撮像部と、印刷物の画像と該画像に対応して後発的に付加された印刷物情報とを電子情報データベースとして格納する印刷物情報格納部と、前記撮像部で撮像された印刷物の画像を該印刷物情報格納部に格納されている印刷物の画像と照合して、印刷物の撮像内容を特定する印刷物撮像内容特定部と、該印刷物撮像内容特定部を介して特定された印刷物の撮像内容に関連する印刷物情報を、該印刷物情報格納部から抽出する印刷物情報抽出部とを備えたコンピュータとの通信を行い、該印刷物情報抽出部を介して抽出された印刷物情報を表示する電子情報表示部と、前記電子情報表示部に表示された印刷物情報を、印刷物の実視野に重畳して表示する半透過光学素子とを有し、前記半透過光学素子を介して観察される印刷物の実視野に、該印刷物の撮像範囲に対応して異なる印刷物情報を重畳して表示するようにした携帯情報端末からなることを特徴とする。
【００１５】
また、本発明の情報重畳表示装置においては、前記印刷物情報が、印刷物の撮像範囲に対応した基本情報と、該基本情報に関連する付加情報とを含んでいるのが好ましい。
【００１６】
また、本発明の情報重畳表示装置においては、前記印刷物情報が、印刷物の撮像範囲に対応した基本情報と、該基本情報に関連する付加情報の格納場所を示す位置情報とを含んでいるのが好ましい。
【００１７】
また、本発明の情報重畳表示装置においては、印刷物に関連する複数の印刷物情報を順次表示させるための、印刷物の撮像範囲に対する所定量の可変量が設定されており、該可変量の範囲内で撮像範囲を変化させて印刷物を撮像したときに、該印刷物の撮像範囲に対応して異なる印刷物情報を前記半透過光学素子を介して観察される印刷物の実視野に重畳して表示するようにするのが好ましい。
【００１８】
また、本発明によるテーマパーク用情報重畳表示システムは、所定面積を有するエリアに多数のアトラクション施設等を備えたテーマパークにおいて、前記テーマパーク内に多数設置された、前記アトラクション施設等に関連する情報を印刷した設置印刷物と、前記テーマパーク内に入場する観客に配布される、前記アトラクション施設等に関連する情報を印刷した配布印刷物と、上記いずれかの情報重畳表示システムのコンピュータと、前記テーマパーク内に入場する観客が使用するための上記いずれかの情報重畳表示システムの携帯情報端末とを有し、前記それぞれの観客が、前記携帯情報端末を介して前記設置印刷物又は前記配布印刷物を撮像したときに、該印刷物の撮像範囲に対応した前記設置印刷物又は前記配布印刷物に印刷された情報に関連する印刷物情報を、携帯情報端末の半透過光学素子を介して観察される印刷物の実視野に重畳して表示するようにしたことを特徴とする。
【発明の効果】
【００１９】
本発明によれば、シースルービュアーを介して観察している印刷物に関連する付加情報を、迅速かつ簡便に、この印刷物の実視野に重畳的に表示できる情報重畳表示装置及び情報重畳表示システムが得られる。
特に、広大な面積を有するエリアに多数のアトラクション施設等を備えたテーマパーク等に本発明を用いた場合には、例えば、印刷物をシースルー観察しながら所望のアトラクション施設等に関連する付加情報（待ち時間、年齢制限の有無、開始及び終了時刻）を広大な領域内を探し回ることなく簡単且つ迅速に得ることができ、その効果は絶大なものとなる。
【発明を実施するための最良の形態】
【００２０】
本発明のように構成された情報重畳表示システム及び情報重畳表示装置においては、使用者は、携帯情報端末の半透過光学素子を介して印刷物を透過観察する。ここで、「印刷物」とは、紙媒体等に印刷、焼付けされた書籍、地図、写真等をいう。なお、印刷物は、紙媒体に限られず、これに類似する印刷可能な媒体、例えば、樹脂シート、金属シート等に印刷されたものでも良い。また、撮像部は、使用者が観察している印刷物を撮像する。印刷物撮像内容特定部は、撮像部を介して撮像された印刷物の画像を、印刷物情報格納部に電子情報として格納されている画像と照合を行うことにより、印刷物の撮像内容を特定する。次に、印刷物情報抽出部が、印刷物情報格納部に電子情報として格納されている印刷物の画像に対応して後発的に付加された印刷物情報のうち、印刷物撮像内容特定部を介して特定された印刷物に関連する印刷物情報を抽出する。電子情報表示部は、印刷物情報抽出部を介して抽出された印刷物情報を表示する。そして、半透過光学素子は、電子情報表示部に表示された印刷物情報を印刷物の実視野に重畳して表示する。そして、本発明では、印刷物の撮像範囲に対応して異なる印刷物情報を重畳して表示するようにしている。この結果、使用者は、印刷物を観察しながら印刷物の撮像範囲を変えるという簡単な操作によって、印刷物に関連する情報の選択を行って印刷物の実視野に重畳して観察することができる。
【００２１】
また、本発明において、印刷物情報が、撮像範囲内に対応した基本情報と、この基本情報に関連ずる付加情報とを含んでいれば、使用者は、観察している印刷物に関連する詳細な情報を得ることができる。
【００２２】
また、本発明において、印刷物情報が、撮像範囲内に対応した基本情報と、この基本情報に関連する付加情報の格納場所を示す位置情報を含んでいれば、使用者は、この位置情報に基づいて撮像範囲と撮像位置を変えることで、観察している印刷物に関連する詳細な情報を、観察画面上で認識し易い状態で得ることができる。
【００２３】
また、本発明においては、印刷物に関連する複数の印刷物情報を順次表示させるための、印刷物の撮像範囲に対して、所定量の可変量を設定し、この可変量の範囲内で撮影範囲を変化させて印刷物を撮像したときに、その印刷物の撮影範囲に対応して異なる印刷物情報を前記半透過光学素子を介して観察される印刷物の実視野に重畳して表示させるようにする。このようにすれば、使用者は、可変量の範囲内で撮影範囲を変えることで、観察している印刷物に関連する複数の詳細な情報を得ることができる。
【００２４】
以下に、本発明に係る情報重畳表示システム及び情報重畳表示装置の実施例を図面に基づいて詳細に説明する。なお、この実施例によりこの発明が限定されるものではない。
【実施例１】
【００２５】
図１は本発明の実施例１に係る情報重畳表示システム全体の概略構成を示す説明図である。図２は実施例１の情報重畳表示システムで用いる情報重畳表示装置としての携帯情報端末の斜視図である。図３は図２に示す携帯情報端末の概略構成を模式的に示す説明図であり、(a)は上面図、(b)は断面図、(c)は底面図である。
なお、実施例１の情報重畳表示システムは、所定の広大な面積を有するエリアに多数のアトラクション施設、飲食店、その他の店舗等（以下、本願では、「アトラクション施設等」とする。）を備えたテーマパークに用いた一構成例として示してある。
【００２６】
実施例１の情報重畳表示システムは、所定の広大な面積を有するエリアに多数のアトラクション施設等を備えたテーマパークにおいて、テーマパーク内に多数設置された、アトラクション施設等に関連する情報を印刷した設置印刷物と、テーマパーク内に入場する観客に配布される、アトラクション施設等に関連する情報を印刷した配布印刷物と、情報重畳表示装置としての携帯情報端末１００と、サーバーコンピュータ１２０を有している。
なお、設置印刷物と配布印刷物の印刷内容は異なるものであってよいが、図１では説明の便宜上、設置印刷物と配布印刷物を印刷物１１０として示してある。
印刷物１１０は書籍物、例えば、テーマパークの案内地図を例えば、テーマパークの運営会社が所有するデジタル版下に基づいて紙媒体等に印刷したものである。
【００２７】
携帯情報端末１００は、図２に示すように、撮像部１０４と、電子情報表示部１０１と、半透過光学素子１０２と、入出力部１０３と、情報入力部１３０を有している。
撮像部１０４は、図３に示すように、光学レンズ１０４ａと、撮像デバイス１０４ｂとから構成されており、印刷物１１０を撮像するために用いられる。撮像デバイス１０４ｂには、例えば２次元ＣＣＤを用いることができる。光学レンズ１０４ａは、ズームレンズとして構成されていて、使用者の必要に応じて、撮影範囲を変化させることができるようになっている。撮像部１０４には、小型カメラを用いることができる。
【００２８】
電子情報表示部１０１は、一般に用いられる携帯情報端末の表示画面で構成されており、サーバーコンピュータ１２０との通信を介して得られる印刷物１１０に関連する印刷物情報を表示する。電子情報表示部１０１には、液晶表示パネルや有機ＥＬパネルを用いることができる。
【００２９】
半透過光学素子１０２は、外部の観察対象と電子情報表示部１０１に表示された情報とを重畳して観察するために用いられる。半透過光学素子１０２には、ホログラム素子やハーフミラーを用いることができる。半透過光学素子１０２は、印刷物１１０からの光を透過するとともに、電子情報表示部１０１からの光を使用者の眼Ｅの方向へ反射する。これにより、半透過光学素子１０２は、電子情報表示部１０１に表示された印刷物１１０に関連する印刷物情報を印刷物１１０の実視野に重畳的に表示することができるようになっている。  また、電子情報表示部１０１、半透過光学素子１０２は、携帯情報端末１００の本体に対して開閉可能に取り付けられており、図１では、開いた状態を示している。なお、電子情報表示部１０１、半透過光学素子１０２を、携帯情報端末１００の本体に対して例えば図１の状態に固定して構成してもよい。
図３(b)に示すように、使用者ＯＢＳは、半透過光学素子１０２を介して印刷物１１０を実視野で透過観察する。同時に、電子情報表示部１０１に表示された印刷物情報の像は、半透過光学素子１０２により使用者ＯＢＳの眼Ｅの方向へ反射される。これにより、使用者ＯＢＳは、印刷物１１０を実視野で観察しつつ、これに重畳して電子情報表示部１０１に表示された印刷物情報を認識できる。
情報入力部１３０は、数字キー、記号キー、アルファベットキー等から構成される、いわゆるテンキーで構成されている。
【００３０】
図４は実施例１に係る情報重畳表示システムの機能ブロック図である。
サーバーコンピュータ１２０と携帯情報端末１００とは、入出力部１０３を介して無線通信可能に構成されている。なお、サーバーコンピュータ１２０は、テーマパークの運営会社が管理している。
サーバーコンピュータ１２０は、印刷物撮像内容特定部１０５と、印刷物情報抽出部１０６と、印刷物情報格納部１２２とを有している。印刷物情報格納部１２２は、印刷物の版下となる画像及びこれに関連する情報としてのデジタル版下１２３及び版下用情報データベース１２４と、その版下画像に対応して後発的に付加された情報を含む最新情報データベース１２５とで構成されている。
印刷物撮像内容特定部１０５は、携帯情報端末１００の入出力部１０３を介して送信された印刷物１１０の画像を、印刷物情報格納部１２２のデジタル版下１２３及び版下用情報データベース１２４の画像と照合することによって、印刷物１１０の撮像内容を特定するように構成されている。
印刷物情報抽出部１０６は、印刷物撮像内容特定部１０５を介して特定された印刷物１１０の撮像内容に関連する印刷物情報を、印刷物情報格納部１２２の最新情報データベース１２５から抽出するように構成されている。
【００３１】
テーマパークの運営会社は、テーマパークの案内地図に加えて、その他の多くの書籍、地図等を紙媒体に印刷して発行する。デジタル版下１２３は、このように発行される版下の画像が電子情報として格納されているデータベースである。また、版下用情報データベース１２４には、デジタル版下１２３を管理するための電子情報が格納されている。さらに、最新情報データベース１２５には、これらの版下画像の電子情報に対して後発的に付加された印刷物情報が格納されている。具体的には、最新情報データベース１２５には、例えばテーマパークの現在の日時における諸情報がリアルタイムで更新されて格納されている。
【００３２】
このように構成された実施例１に係る情報重畳表示システムによる印刷物情報の重畳表示処理について以下に説明する。図５は実施例１に係る情報重畳表示システムにおいて、印刷物情報を実視野に重畳して表示する手順の概略を示すフローチャートである。まず、情報表示についての大まかな手順を説明する。
使用者ＯＢＳは、携帯情報端末１００を用いて、半透過光学素子１０２を介して印刷物１１０を透過観察しながら、撮像部１０４を介して印刷物１１０（の所望範囲）を撮像する（ステップＳ４０１）。撮像部１０４を介して撮像された画像は、入出力部１０３を介してサーバーコンピュータ１２０に送信される。サーバーコンピュータ１２０に印刷物１１０の画像が送信されると、サーバーコンピュータ１２０の印刷物撮像内容特定部１０５が、印刷物１１０の画像を、印刷物情報格納部１２２のデジタル版下１２３及び版下用情報データベース１２４の画像と照合して、印刷物１１０の撮像内容を特定する（ステップＳ４０２）。次いで、印刷物情報抽出部１０７が、特定された印刷物１１０の撮像内容に関連する印刷物情報を印刷物情報格納部１２２の最新情報データベース１２５から抽出（取得）する（ステップＳ４０３）。抽出された印刷物情報は、入出力部１０３を介して携帯情報端末１００に受信される。電子情報表示部１０１は、受信された印刷物情報を表示する。電子情報表示部１０１に表示された印刷物情報は、半透過光学素子１０２の表示面に表示される（ステップＳ４０４）。これにより、使用者ＯＢＳは、印刷物１１０に関連するリアルタイムの情報を、半透過光学素子１０２を介して、印刷物１１０の実視野に重畳して表示された状態で観察することができる。
【００３３】
更に、サーバーコンピュータ１２０で行われる処理について、より詳細に説明する。
上述したように、本実施例では、サーバーコンピュータ１２０が、印刷物撮像内容特定部１０５と、印刷物情報抽出部１０６と、印刷物情報格納部１２２とを備えている。一般に、デジタル版下１２３により発行される書籍、地図等は、非常に数量が多い。特に、大規模なテーマパークになると、デジタル版下１２３と版下用情報データベース１２４とに格納されている情報は、数百〜数万種に及ぶこともある。その場合、撮像部１０４で撮像した印刷物１１０の画像をこれらのデジタル版下１２３と版下用情報データベース１２４の画像と照合することにより印刷物１１０の撮像内容を特定する際に、非常に大量の電子情報データを参照して比較する必要がある。そこで、本実施例の情報重畳表示システムでは、印刷物情報特定部１０５及び印刷物情報抽出部１０６を印刷物情報格納部１２２と共にサーバーコンピュータ１２０内に設けている。また、サーバーコンピュータ１２０は、大容量の電子情報を管理し、高速な処理速度機能を有している。
【００３４】
ステップＳ４０２において、印刷物撮像内容特定部１０５は、デジタル版下１２３と版下用情報データベース１２４とに格納されている複数の画像の電子情報を参照する。そして、撮像部１０４で撮像され、入出力部１０３を介して送信された画像をキーとして、デジタル版下１２３と版下用情報データベース１２４を検索し、この画像と一致する画像のデジタル版下２３に関連する版下用情報を抽出する。これにより、高速且つ高効率で印刷物１１０の撮像内容が特定される。
次に、ステップＳ４０３において、印刷物情報抽出部１０６は、特定された印刷物１１０の版下用情報をキーとして、最新情報データベース１２５を検索し、特定された印刷物１１０の撮像内容に関連する最新の印刷物情報を抽出する。
【００３５】
また、本実施例の情報重畳表示システムでは、観察している印刷物１１０の撮像範囲に対応して異なる最新の印刷物情報を最新情報データベース１２５から抽出するように構成されている。
図６は実施例１に係る情報重畳表示システムにおける印刷物情報の表示形式を示す図であり、(a)は使用者が観察している印刷物全体を撮像した場合の様子を示す説明図、(b)は使用者が観察している印刷物の一部の領域を撮像した場合の様子を示す説明図、(c)は使用者が観察している印刷物の他の領域を撮影した場合の様子を示す説明図である。なお、図６では、説明の便宜上、印刷物１１０の全体が実視野で観察されているものとする。
例えば、撮像部１０４による印刷物１１０の撮像範囲が、図６(a)に示すように、使用者が観察している印刷物１１０の全体（絵、図柄、イラスト）であったとする。この場合には、印刷物情報抽出部１０６を介して抽出されて半透過光学素子１０２を介して印刷物１１０の実視野に重畳して表示される最新の印刷物情報が、例えば、現在の入場者数となるように、デジタル版下２３、版下用情報データベース２４及び最新情報データベース１２５が構築されている。
【００３６】
また、撮像部１０４による印刷物１１０の撮像範囲が、図６(b)に示すように、使用者が観察している印刷物１１０のうちのアトラクションＡ（絵、図柄、イラスト）を含む範囲であったとする。この場合には、印刷物情報抽出部１０６を介して抽出されて半透過光学素子１０２を介して印刷物１１０の実視野に重畳して表示される最新の印刷物情報が、例えば、アトラクションＡの現在の待ち時間（混雑状況）となるように、デジタル版下２３、版下用情報データベース２４及び最新情報データベース１２５が構築されている。
【００３７】
また、撮像部１０４による印刷物１１０の撮像範囲が、図６(c)に示すように、使用者が観察している印刷物１１０のうちのインフォメーションセンターを含む範囲であったとする。この場合には、印刷物情報抽出部１０６を介して抽出されて半透過光学素子１０２を介して印刷物１１０の実視野に重畳して表示される最新の印刷物情報が、例えば、テーマパーク内で当日に開催されるイベントの開催場所や開催時間等となるように、デジタル版下２３、版下用情報データベース２４及び最新情報データベース１２５が構築されている。
【００３８】
なお、撮像範囲は、図３に示した光学レンズ１０４ａのズーム機能により調整することができる（図７(a)）。
あるいは、携帯情報端末１００の使用者が移動して、撮像部１０４から印刷物１１０までの距離を変えることにより撮像範囲を調整してもよい。すなわち、印刷物１１０全体を撮像範囲にする場合は、使用者は印刷物１１０から離れ、印刷物１１０の特定部位を撮像範囲にする場合は、使用者は印刷物１１０に近づけばよい。このようにすれば、機器の操作を伴わずに、撮像範囲を変化させることができる（図７(b)）。
【００３９】
また、本実施例の情報重畳表示システムでは、観察している印刷物１１０の撮像範囲に対応した適切な表示位置に、最新情報データベース１２５から抽出された印刷物情報を半透過光学素子１０２に表示させるための表示位置制御部が、携帯情報端末１００、サーバーコンピュータ１２０のいずれかに備えられている（図示省略）。
【００４０】
このようにして印刷物情報抽出部１０６を介して抽出された印刷物情報は、サーバーコンピュータ１０２から携帯情報端末１００へ無線で送信され、入出力部１０３で受信される。電子情報表示部１０１は、入出力部１０３で受信された印刷物情報を表示する。電子情報表示部１０１で表示された印刷物情報の像は、半透過光学素子１０２を経て使用者ＯＢＳの方向へ導かれる。これにより使用者ＯＢＳは、印刷物１１０を実視野で観察しながら、実視野に重畳した最新の印刷物情報を認識できる。例えば、図６(b)に示すように、使用者ＯＢＳがテーマパークの案内地図を携帯情報端末１００の半透過光学素子１０２を介して観察し、その観察範囲内においてアトラクションＡを撮像部１０４を介して撮像したときには、「アトラクションＡの乗り物：５分待ち」というリアルタイムの文字情報を、観察している印刷物１１０の実視野（テーマパークの案内地図）の所定位置に重畳した状態で観察することができる。
【００４１】
このように、本実施例によれば、観察している実視野の印刷物１１０に重畳して、後発的に付加された最新の印刷物情報を表示できる。これにより、使用者ＯＢＳは、観察している印刷物１１０に関連する印刷物情報を、迅速かつ簡便に得ることができる。
【実施例２】
【００４２】
図８は本発明の実施例２に係る情報重畳表示システムの表示形式を示す図であり、(a)は使用者が観察している印刷物の一部の領域を撮像した場合の様子を示す説明図、(b)は使用者が観察している印刷物の一部の領域内に表示された一つの位置情報を撮像した場合の様子を示す説明図、(c)は使用者が観察している印刷物の一部の領域内に表示された他の位置情報を撮像した場合の様子を示す説明図である。
実施例２の情報重畳表示システムは、基本構成は図１〜図５に示す実施例１の構成と同様であり、印刷物１１０に関連する印刷物情報が、印刷物１１０の実視野に重畳的に表示されるように構成されている。
但し、実施例２の情報重畳表示システムでは、その際、印刷物情報には、印刷物の撮像範囲（対象）に関連する基本情報と、基本情報に関連する付加情報の格納場所を示す位置情報とが含まれるように、印刷物情報格納部１２２のデジタル版下２３、版下用情報データベース２４及び最新情報データベース１２５が構築されている。
【００４３】
例えば、撮像部１０４による印刷物１１０の撮像範囲が、図８(a)に示すように、観察者が観察している印刷物１１０のうちのインフォメーションセンター（絵、図柄、イラスト）を含む範囲であったとする。この場合には、印刷物情報抽出部１０６を介して抽出されて半透過光学素子１０２を介して印刷物１１０の実視野に重畳して表示される最新の印刷物情報として、例えば、テーマパーク内で当日に開催されるパレードの開催時間が、印刷物情報抽出部１０６を介して抽出される。この情報が、基本情報である。この基本情報は、半透過光学素子１０２を介して、観察している印刷物１１０の実視野内の所定の位置に重畳して表示される。
【００４４】
しかしながら、インフォメーションセンターには、パレードに関連する情報のほかに、例えば、イベントの情報、レストランの情報及びショップの情報等を備えている。ここでは、イベントの情報、レストランの情報及びショップの情報等を、付加情報とする。これらの付加情報を、使用者が容易に取得できると、より好ましい。ただし、これらの付加情報を、全て、同時に表示させたのでは、使用者ＯＢＳが半透過光学素子１０２を介して観察している印刷物１１０の実視野の中に、多くの情報が混在、重畳して表示されることになる。そのため、必要な情報を認識することが困難になる恐れがある。
【００４５】
そこで、実施例２の情報重畳表示システムでは、付加情報そのものではなく、付加情報が格納されていることを示す位置情報を、観察している印刷物１１０の実視野内の所定位置に重畳して表示するように構成している。
具体的には、例えば、図８(a)に示すように、インフォメーションセンターを示す絵（図柄、イラスト）の左上の位置には、ショップＢに関連する付加情報が格納されていることを示す位置情報ＳＢを表示する。同様にして、インフォメーションセンタを示す絵の所定の位置に、各種の付加情報が格納されていることを示すような位置情報を表示する。
即ち、インフォメーションセンターを示す絵の中央上部の位置には、イベントＡに関連する付加情報が格納されていることを示す位置情報ＥＡを表示する。
また、インフォメーションセンターを示す絵の右上の位置には、レストランＡに関連する付加情報が格納されていることを示す位置情報ＲＡを表示する。
また、インフォメーションセンターを示す絵の右下の位置には、レストランＢに関連する付加情報が格納されていることを示す位置情報ＲＢを表示する。
また、インフォメーションセンターを示す絵の左下の位置には、ショップＡに関連する付加情報が格納されていることを示す位置情報ＳＡを表示する。
【００４６】
そこで、使用者は、必要な付加情報がある位置に、撮像範囲を移動させる。例えば、レストランＡに関連する付加情報を得る場合、撮像範囲の中心を、インフォメーションセンタを示す絵の右上の位置に移動させる。ただし、撮像範囲の広さが図８(a)のままでは、インフォメーションセンターを示す絵の右上の位置を特定したことにならない。
そこで、図８(b)に示すように、撮像範囲を狭める。このようにすることで、インフォメーションセンターを示す絵の右上の位置を、特定することができる。位置の特定が行われると、例えば、付加情報として、レストランＡの待ち時間が、観察している印刷物１１０の実視野に重畳して表示される。また、図８(c)に示すように、撮像範囲を狭め、且つ撮影中心を、インフォメーションセンターを示す絵の左上に移動させると、ショップＢで販売されている限定商品名が、観察している印刷物１１０の実視野に重畳して表示される。
【００４７】
なお、撮像範囲が狭くなると、撮像した画像に関する特徴点が少なくなる。そうすると、撮像した印刷物１１０の画像とデジタル版下１２３と版下用情報データベース１２４の画像との照合により撮像内容を特定することが難しくなる。その結果、印刷物情報特定部１０５を介しても、撮像した印刷物１１０の画像が、印刷物１１０のどの部分の画像であるかを特定することができなくなる。上記の例では、インフォメーションセンタを示す絵の右上の位置を、特定することが困難になる可能性が生じる。
そこで、付加情報がある位置には、印刷物１１０に予め特徴点を持たせておくのが好ましい。例えば、印刷物１１０のインフォメーションセンタを示す絵には、その右上の位置に、ＲＡという文字、左上の位置にはＳＢの文字を、予め印刷しておく。このようにすれば、撮像範囲が狭くなっても、撮像した印刷物１１０の画像とデジタル版下１２３と版下用情報データベース１２４の画像との照合が容易に行える。
【実施例３】
【００４８】
図９は本発明の実施例３に係る情報重畳表示システムの表示形式を示す図であり、(a)は使用者が観察している印刷物の一部の領域を所定の撮像範囲で撮像した場合の様子を示す説明図、(b)は使用者が観察している印刷物の一部の領域を(a)とは異なる大きさの撮像範囲で撮像した場合の様子を示す説明図である。
実施例３の情報重畳表示システムにおいても、基本構成は図１〜図５に示す実施例１の構成と同様であり、印刷物１１０に関連する印刷物情報が、印刷物１１０の実視野に重畳的に表示されるように構成されている。
但し、実施例３の情報重畳表示システムでは、その際、印刷物情報には、撮像対象に関連する複数の情報が含まれており、撮像範囲の変化に対応して異なる情報を表示するように、印刷物情報格納部１２２のデジタル版下２３、版下用情報データベース２４及び最新情報データベース１２５が構築されている。
【００４９】
例えば、撮像部１０４による印刷物１１０の撮像範囲が、図９(a)に示すように、印刷物１１０のうちのアトラクションＢ（絵、図柄、イラスト）を含む範囲であったとする。この場合には、印刷物情報抽出部１０６を介して抽出されて半透過光学素子１０２を介して印刷物１１０の実視野に重畳して表示される最新の印刷物情報として、例えば、アトラクションＢの待ち時間、年齢制限の有無、終了時刻等が、印刷物情報抽出部１０６を介して抽出される。そして、抽出された情報のうち、待ち時間が、半透過光学素子１０２を介して、観察している印刷物１１０の実視野内の所定の位置に重畳して表示される。
【００５０】
しかしながら、アトラクションＢについては、待ち時間の情報のほかに、例えば、年齢制限の有無や、終了時刻等の情報が存在する。これらの情報を、使用者が容易に取得できると、より好ましい。ただし、これらの情報を、全て、同時に表示させたのでは、使用者ＯＢＳが半透過光学素子１０２を介して観察している印刷物１１０の実視野の中に、多くの情報が混在、重畳して表示されることになる。そのため、必要な情報を認識することが困難になる恐れがある。
【００５１】
そこで、実施例３の情報重畳表示システムでは、使用者が撮像範囲を変化させることで、これらの情報を別々のタイミングで表示するように構成している。
具体的には、図９(a)に示すように、例えば、印刷物１１０における撮像範囲がＸ１の場合、アトラクションＢの待ち時間が重畳して表示される。次に、撮像範囲を僅かに変化させる。例えば、撮像範囲をＸ１からＸ２（Ｘ２＞Ｘ１）に大きくする。すると、図９(b)に示すように、アトラクションＢに関連する年齢制限の有無が重畳して表示される。このようにすれば、使用者は、アトラクションＢに関連する複数の情報を、簡単な動作で認識し易く得ることができる。
【００５２】
なお、撮像範囲は、印刷物１１０に印刷された対象物の大きさによっても変化する。すなわち、撮像範囲は、対象物を選択するために変化することもある。よって、撮像範囲の変化が、対象物を選択するためのものであるのか、対象物に関連する複数の情報を順次表示させるためのものであるのか、を区別させる必要がある。そこで、実施例２の情報重畳表示システムにおいては、撮像範囲についての所定の可変量を、予め設定しておく。そして、撮像範囲の変化が所定の可変量の範囲内である場合には、対象物に関連する複数の情報を順次表示させ、所定の可変量の範囲を超えた場合には、他の対象物に関連する情報を表示させるようにするとよい。
【００５３】
なお、上記各実施例では、情報重畳表示システム及び情報重畳表示装置をテーマパークに用いたが、本発明の情報重畳表示システム及び情報重畳表示装置は、印刷物を観察しながらその印刷物に関連する印刷物情報を観察している印刷物の重畳して表示させることことができるものであれば、用途は限定されない。
また、上記各実施例の情報重畳表示システム及び情報重畳表示装置では、テーマパーク等において非常に大量の電子情報データとの参照、比較処理を高速度で行うために、印刷物撮像内容特定部及び印刷物情報抽出部をサーバーコンピュータに備えたが、参照、比較するための印刷物情報格納部の電子情報データの格納量がそれほど多くしないでシステムを構築できれば、印刷物撮像内容特定部及び印刷物情報抽出部を携帯情報端末に備えてもよい。
また、電子情報表示部で印刷物に関連する印刷物情報を着色表示や点滅表示するようにしてもよい。このようにすれば、印刷物の実視野に重畳して表示される印刷物情報が認識し易くなる。
【産業上の利用可能性】
【００５４】
以上のように、本発明に係る情報重畳表示システムは、印刷物に関連する情報、特に使用者との関係においてリアルタイムに変化する付加的な情報を、迅速かつ簡便に、この印刷物の実視野に重畳的に表示するときに有用である。
【図面の簡単な説明】
【００５５】
【図１】本発明の実施例１に係る情報重畳表示システムの概略構成図である。
【図２】本発明の実施例１の情報重畳表示システムで用いる情報重畳表示装置としての携帯情報端末の斜視構成図である。
【図３】図２に示す携帯情報端末の概略構成を模式的に示す説明図であり、(a)は上面図、(b)は断面図、(c)は底面図である。
【図４】本発明の実施例１に係る情報重畳表示システムの機能ブロック図である。
【図５】本発明の実施例１に係る情報重畳表示システムにおいて、印刷物情報を実視野に重畳して表示する手順の概略を示すフローチャートである。
【図６】本発明の実施例１に係る情報重畳表示システムにおける印刷物情報の表示形式を示す図であり、(a)は使用者が観察している印刷物全体を撮像した場合の様子を示す説明図、(b)は使用者が観察している印刷物の一部の領域を撮像した場合の様子を示す説明図、(c)は使用者が観察している印刷物の他の領域を撮影した場合の様子を示す説明図である。
【図７】実施例１の情報重畳表示システムにおける携帯情報端末を用いた印刷物の撮像範囲の調整方法を示す図であり、(a)は携帯情報端末に備わる光学レンズのズーム機能を用いて撮像範囲を調整する状態を示す説明図、(b)は携帯情報端末の使用者が移動することによって撮像範囲を調整する状態を示す説明図である。
【図８】本発明の実施例２に係る情報重畳表示システムの表示形式を示す図であり、(a)は使用者が観察している印刷物の一部の領域を撮像した場合の様子を示す説明図、(b)は使用者が観察している印刷物の一部の領域内に表示された一つの位置情報を撮像した場合の様子を示す説明図、(c)は使用者が観察している印刷物の一部の領域内に表示された他の位置情報を撮像した場合の様子を示す説明図である。
【図９】本発明の実施例３に係る情報重畳表示システムの表示形式を示す図であり、(a)は使用者が観察している印刷物の一部の領域を所定の撮像範囲で撮像した場合の様子を示す説明図、(b)は使用者が観察している印刷物の一部の領域を(a)とは異なる大きさの撮像範囲で撮像した場合の様子を示す説明図である。
【符号の説明】
【００５６】
１００          携帯情報端末
１０１          電子情報表示部
１０２          半透過光学素子
１０３          入出力部
１０４          撮像部
１０５          印刷物撮像内容特定部
１０６          印刷物情報抽出部
１１０          印刷物
１２０          サーバーコンピュータ
１２２          印刷物情報格納部
１２３          デジタル版下
１２４          版下用情報データベース
１２５          最新情報データベース
１３０          情報入力部
ＯＢＳ          携帯情報端末の使用者
Ｅ              使用者の観察している側の眼
【図１】
2006139104.tif 000003
【図２】
2006139104.tif 000004
【図３】
2006139104.tif 000005
【図４】
2006139104.tif 000006
【図５】
2006139104.tif 000007
【図６】
2006139104.tif 000008
【図７】
2006139104.tif 000009
【図８】
2006139104.tif 000010
【図９】
2006139104.tif 000011